(57)【要約】【目的】  表示状態が横向表示状態であっても通常表示状態と同様にカーソル移動操作を行うことができる携帯情報端末装置を提供する。【構成】  上下左右のカーソル移動操作に応じて上下左右の操作信号α１〜α４を出力するカーソル操作部１００と、プログラムが記録されたメモリ部３００と、カーソル操作部１００の上下左右の操作信号α１〜α４に応じて上下左右の指示信号β１〜β４をディスプレイ５００に出力し、これによりカーソルを上下左右に移動させる一方、ユーザの選択操作によりメモリ部３００上のプログラムを処理すると共に、プログラムに応じてプログラムに含まれるデータを通常表示状態又横向表示状態でディスプレイ５００に表示させる制御部４００とを具備し、制御部４００は、処理するプログラムに対応したデータの表示状態が横向表示状態である場合に、上下左右方向の指示信号β１〜β４を左右下上方向の指示信号γ１〜γ４に変換して出力する。【選択図】      図１
2006065514.tif 000002
【特許請求の範囲】
【請求項１】
少なくともユーザの上下左右方向のカーソル移動操作に応じて上下左右方向の出力信号を各々出力するカーソル操作部と、複数種類のプログラムが記録されたメモリ部と、前記カーソル操作部の上下左右方向の出力信号に応じて上下左右方向の指示信号をディスプレイに各々出力し、当該ディスプレイに表示されたカーソルを上下左右方向に移動させる一方、ユーザの選択操作により前記メモリ部上のプログラムを処理すると共に、プログラムに応じてプログラムに含まれるデータを通常表示状態又はこの通常表示状態から略９０°横向きにした横向表示状態でディスプレイに表示させる機能を有した制御部とを具備した携帯情報端末装置において、
前記制御部は、処理するプログラムに対応したデータの表示状態が横向表示状態である場合には、前記上下左右方向の指示信号を左右下上方向又は右左上下方向の指示信号に変換して各々出力する機能を有することを特徴とする携帯情報端末装置。
【請求項２】
請求項１記載の携帯情報端末装置において、ユーザの指紋を検出するためのセンサである指紋検出手段を備えており、前記カーソル操作部は、ユーザの指が触れることにより出力信号を各々出力するセンサである第１、第２、第３、第４操作部を有し、この第１、第２、第３、第４操作部が前記指紋検出手段の周囲の上下左右の位置に配置されていることを特徴とする携帯情報端末装置。
【請求項３】
前記第３、第４操作部が指紋認証センサである請求項２記載の携帯情報端末装置において、前記指紋検出手段は、ライン型の指紋認証センサである検出手段本体と、この検出手段本体の長さ方向の両端部に連続するように各々配設された前記第３、第４操作部とを有する構成となっていることを特徴とする携帯情報端末装置。
【請求項４】
請求項３記載の携帯情報端末装置において、前記検出手段本体は、長さ方向に並べて配置された第１、第２、第３検出部を有しており、前記制御部は、指紋認証時には前記第１、第２、第３検出部と、前記第３、第４操作部とをオンにする一方、カーソル操作時には中央に位置する第２検出部と、第１、第２、第３、第４操作部とをオンにし、前記第２検出部から出力信号が入力されると、ユーザの選択操作として認識する機能を有したことを特徴とする携帯情報端末装置。
【請求項５】
請求項２又は３記載の携帯情報端末装置において、少なくとも前記第１、第２、第３、第４操作部を振動させる振動手段を備えており、前記制御部は前記カーソル操作部の出力信号に応じて前記振動手段を駆動させる機能を有していることを特徴とする携帯情報端末装置。
【請求項６】
携帯電話器である請求項５記載の携帯情報端末装置において、前記振動手段は、着信時に装置全体を振動させる振動モータであることを特徴とする携帯情報端末装置。
【発明の詳細な説明】
【技術分野】
【０００１】
本発明は、携帯電話器、ＰＤＡ( Ｐｅｒｓｏｎａｌ  Ｄｉｇｉｔａｌ  Ａｓｓｉｓｔａｎｔｓ) ノートパソコン、デジタルカメラ等の携帯情報端末装置に関する。
【背景技術】
【０００２】
従来の携帯電話器としては、当該装置のメモリ部内のデータ等を守るために指紋認証センサと、この指紋認証センサの周りにディスプレイに表示されたカーソルを上下左右方向に各々移動操作するためのカーソル上釦、カーソル下釦、カーソル左釦及びカーソル右釦とを備えたものがある( 特許文献１参照) 。
【０００３】
近年の携帯電話器は、制御部により処理される複数種類のアプリケーションプログラムがメモリ部に記録されている。このアプリケーションプログラムの中には、制御部により処理されると、当該アプリケーションプログラムに含まれるデータを通常表示状態から略９０°横向きにした横向表示状態でディスプレイに表示させるようになっているもの( 例えば、ゲームプログラム) がある。即ち、携帯電話器を通常保持状態から略９０°横向きに保持した状態で使用することができるようになっている。
【０００４】
【特許文献１】特開２００２−３３０２０２号公報
【発明の開示】
【発明が解決しようとする課題】
【０００５】
ところが、携帯電話器を横向きに保持すると、カーソル上釦、カーソル下釦、カーソル左釦、カーソル右釦の位置がカーソル左釦、カーソル右釦、カーソル下釦、カーソル上釦又はカーソル右釦、カーソル左釦、カーソル上釦、カーソル下釦の位置に位置するため、カーソル移動操作が非常に困難になる。
【０００６】
本発明は、上記事情に鑑みて創案されたものであって、その目的とするところは、表示状態が横向表示状態であっても通常表示状態と同様にカーソル移動操作を行うことができる携帯情報端末装置を提供することにある。
【課題を解決するための手段】
【０００７】
上記課題を解決するために、本発明の携帯情報端末装置は、少なくともユーザの上下左右方向のカーソル移動操作に応じて上下左右方向の出力信号を各々出力するカーソル操作部と、複数種類のプログラムが記録されたメモリ部と、前記カーソル操作部の上下左右方向の出力信号に応じて上下左右方向の指示信号をディスプレイに各々出力し、当該ディスプレイに表示されたカーソルを上下左右方向に移動させる一方、ユーザの選択操作により前記メモリ部上のプログラムを処理すると共に、当該プログラムに応じてプログラムに含まれるデータを通常表示状態又はこの通常表示状態から略９０°横向きにした横向表示状態でディスプレイに表示させる制御部とを具備した携帯情報端末装置であって、前記制御部は、処理するプログラムに対応したデータの表示状態が横向表示状態である場合には、前記上下左右方向の指示信号を左右下上方向又は右左上下方向の指示信号に変換して各々出力する機能を有することを特徴としている。
【０００８】
この携帯情報端末装置がユーザの指紋を検出するためのセンサである指紋検出手段を備えている場合、前記カーソル操作部は、ユーザの指が触れることによりを出力信号を出力するセンサである第１、第２、第３、第４操作部を有し、この第１、第２、第３、第４操作部が前記指紋検出手段の周囲の上下左右の位置に配置されている。
【０００９】
前記第３、第４操作部が指紋認証センサである場合、前記指紋検出手段は、ライン型の指紋認証センサである検出手段本体と、この検出手段本体の長さ方向の両端部に連続するように各々配設された前記第３、第４操作部とを有する構成となっている。
【００１０】
前記検出手段本体は長さ方向に並べて配置された第１、第２、第３検出部を有している。この場合、前記制御部は、指紋認証時には前記第１、第２、第３検出部と、前記第３、第４操作部とをオンにする一方、カーソル操作時には中央に位置する第２検出部と、第１、第２、第３、第４操作部とをオンにし、ユーザの操作により前記第２検出部から出力信号が入力されると、ユーザの選択操作として認識する機能を有する。
【００１１】
前記携帯情報端末装置は、少なくとも前記カーソル操作部を振動させる振動手段を備えており、前記制御部は前記カーソル操作部の上下左右方向の出力信号に応じて前記振動手段を駆動させる機能を有していることが好ましい。この携帯情報端末装置が携帯電話器である場合、前記振動手段は着信時に装置全体を振動させる振動モータを利用することが好ましい。
【発明の効果】
【００１２】
本発明の請求項１に係る携帯情報端末装置による場合、制御部は、処理するプログラムに対応したデータの表示状態が横向表示状態であると、カーソル操作部の上下左右方向の出力信号に応じてディスプレイに出力する上下左右方向の指示信号を左右下上方向又は右左上下方向の指示信号に各々変換して出力する機能を有している。このため、表示状態が横向表示状態であっても、カーソル操作部を通常表示状態と同様に操作することができる。よって、従来例に比べて操作性の良い携帯情報端末装置とすることができる。
【００１３】
本発明の請求項２に係る携帯情報端末装置による場合、前記カーソル操作部の第１、第２、第３、第４操作部が指紋検出手段の周囲の上下左右の位置に配置されている。この第１、第２、第３、第４操作部はユーザの指が触れることにより出力信号を出力するセンサであるので、当該第１、第２、第３、第４操作部のセンサ面を指紋検出手段のセンサ面と面一とすることができる。よって、従来例の釦ように当該釦の頂部の位置が指紋検出手段のセンサ面よりも高くなり、ユーザが当該指紋検出手段のセンサ面に指を載置し難いなどの不都合がないので、使い勝手の良い携帯情報端末装置とすることができる。
【００１４】
本発明の請求項３に係る携帯情報端末装置による場合、少なくとも第３、第４操作部を指紋認証センサとし、当該第３、第４操作部をライン型の指紋認証センサである指紋検出手段の検出手段本体の長さ方向の両端部に連続するように配設している。即ち、指紋認証時に第３、第４操作部を指紋検出手段の一部として利用するようになっているので、検出手段本体の長さ寸法を短くすることができる。よって、指紋検出手段の周りに第１〜第４操作部を配しても従来例と比べて実装スペースを小さくすることができるので、装置の小型化を図る上で非常にメリットがある。
【００１５】
本発明の請求項４に係る携帯情報端末装置による場合、検出手段本体が長さ方向に並べて配置された第１、第２、第３検出部を有している。制御部は、カーソル操作時には、カーソル操作部の第１、第２、第３、第４操作部と共に、中央に位置する第２検出部をオンにし、前記第２検出部から出力信号が入力されると、ユーザの選択操作として認識するようになっている。即ち、カーソル操作時に、前記第２検出部を選択操作部として使用することができるので、他に選択操作釦等を設ける必要がなく、装置の小型化、低コスト化を図ることができる。
【００１６】
本発明の請求項５に係る携帯情報端末装置による場合、制御部によりカーソル操作部から出力信号に応じて振動手段を駆動させ、少なくとも前記第１〜第４操作部を振動させるようになっている。このため、第１〜第４操作部を操作した際に操作釦を操作した際と同様の操作感を得ることができる。  
【００１７】
本発明の請求項６に係る携帯情報端末装置による場合、前記振動手段として携帯電話器の振動モータを利用する構成となっている。即ち、新たな振動手段を備える必要がないので、装置の小型化、低コスト化を図る上で非常にメリットがある。
【発明を実施するための最良の形態】
【００１８】
以下、本発明の実施の形態に係る携帯情報端末装置について図面を参照しながら説明する。図１は本発明の実施の形態に係る携帯情報端末装置のブロック図、図２は同装置を示す図であって、( ａ) が通常使用状態の概略的正面図、( ｂ) が横向使用状態の概略的正面図、図３は同装置のカーソル操作部の第１操作部を示す模式図、図４は同装置の指紋認証センサのセンサ面の拡大図であって、( ａ) が全てのセンサ素子がオン状態の図、( ｂ) が一部のセンサ素子がオン状態の図、図５は同装置の制御部により処理される指紋認証割込プログラムのフローチャート、図６は同装置の制御部により処理されるカーソル操作プログラムのフローチャート、図７は同装置の指紋検出手段の検出手段本体の設計変更例を示す模式図である。
【００１９】
図１に示す携帯情報端末装置は、ディスプレイ５００に表示されたカーソルを操作するためのカーソル操作部１００と、指紋認証を行うためのセンサである指紋検出手段２００と、複数のプログラムが記録されたメモリ部３００と、メモリ部３００上のプログラムを処理することにより装置の制御を行う制御部４００と、着信時に装置全体を振動させる振動手段６００と、選択操作を行うための選択操作部( 図示せず) とを具備した携帯電話器である。この携帯情報端末装置は、メモリ部３００上のプログラムのデータがディスプレイ５００に通常表示状態( 図２( ａ) の縦向表示状態) で表示させた状態で使用することができると共に、前記通常表示状態から９０°横向きにした横向表示状態( 図２( ｂ) ) で表示させた状態で使用することができる。以下、各部を詳しく説明する。
【００２０】
カーソル操作部１００は、図２に示すように、指紋検出手段２００の周りの上下左右に配設された第１、第２、第３、第４操作部１１０、１２０、１３０、１４０を有する。この第１、第２、第３、第４操作部１１０、１２０、１３０、１４０については電界強度測定方式の指紋認証センサを用いる。第１操作部１１０は、図３に示すように、複数のセンサ素子１１１と、このセンサ素子１１１の近傍に配設された電極１１２とを有する構成となっている。電極１１２は高周波電流を出力するようになっており、ユーザが指を近づけると、高周波電流がユーザの指の表皮の内側の真皮の表面を流れる。これによりユーザの指の真皮とセンサ素子１１１との間に電界が発生する。センサ素子１１１はユーザの指の真皮の凹凸( 即ち、指紋) に応じて変化する電界強度を各々検出し、この検出結果を出力信号として出力するようになっている。また、第１操作部１１０はユーザの指が電極１１２に接触すると、所定の電気信号を制御部４００に向けて出力するようになっている。なお、第２、第３、第４操作部１２０、１３０、１４０についても同様の構成であるため、説明を省略する。
【００２１】
この第１、第２、第３、第４操作部１１０、１２０、１３０、１４０のセンサ素子１１１、１２１、１３１、１４１は、制御部４００のモード切替信号に応じてカーソル操作モードと、指紋認証モードと、待機モードとに切り替わるようになっている。具体的には、カーソル操作モード時にはセンサ素子１１１、１２１、１３１、１４１がオン状態となる。このとき、第１、第２、第３、第４操作部１１０、１２０、１３０、１４０は出力信号を上下左右方向の操作信号α１、α２、α３、α４として出力する。指紋認証モード時には、センサ素子１１１、１２１はオフ状態となる一方、センサ  素子１３１、１４１はオン状態となる。これにより、第３、第４操作部１３０、１４０は指紋検出手段２００の一部として機能する。即ち、第１、第２操作部１１０、１２０は指紋認証センサを用いているものの、指紋認証には使用されない。待機モード時には、第１、第２、第３、第４操作部１１０、１２０、１３０、１４０のセンサ素子１１１、１２１、１３１、１４１は、全てがオン状態とならず( 図４( ａ) 参照) 、その一部( ここでは市松模様状になるよう一部) のセンサ素子１１１、１２１、１３１、１４１がオン状態( 図４( ｂ) 参照) となる。
【００２２】
指紋検出手段２００は、電界強度測定方式のライン型の指紋認証センサである検出手段本体２１０と、この検出手段本体２１０の長さ方向の両端部に連続するように配置された第３、第４操作部１３０、１４０とを有する。検出手段本体２１０についてもライン型である以外、第１操作部１１０と構成が同じであるため説明は省略する。この検出手段本体２１０のセンサ素子２１１は制御部４００のモード切替信号に応じてカーソル操作モードと指紋認証モードとに切り替わるようになっている。具体的には、カーソル操作モード時にはオフ状態となる一方、指紋認証モード時にはオン状態となる。即ち、指紋認証モード時には、検出手段本体２１０は第３、第４操作部１３０、１４０と共に一つの指紋認証センサとして機能する。このため、検出手段本体２１０の長さ寸法は第３、第４操作部１３０、１４０と連続することによりユーザの指の指紋を読み取るのに必要な長さ寸法となれば良く、通常のライン型指紋認証センサよりも短くなっている。
【００２３】
振動手段６００は携帯電話器に備えられる周知の振動モータであって、制御部４００によりオン／オフが制御される。
【００２４】
メモリ部３００には各種のアプリケーションプログラムの他、図５に示す指紋認証割込プログラム、図示しない操作入力をロックするための操作入力ロック割込プログラム及び図６に示すカーソル操作プログラム等が記録されている。また、メモリ部３００には、予め入力されたユーザの指の第１関節までの指紋の画像データが基準データとして記録されている。各アプリケーションプログラムのヘッダ情報には、当該プログラムに含まれるデータをディスプレイ５００に通常表示状態( 図２( ａ) の縦向表示状態) で表示させるのか、横向表示状態( 図２( ｂ) ) で表示させるのかを制御部４００に判定させるための表示方向データが含まれている。
【００２５】
制御部４００はメモリ部３００上のプログラムを処理することにより携帯情報端末装置の全体を制御するＣＰＵ等の演算部であって、図１に示すように、その入出力ポートには、第１、第２、第３、第４操作部、検出手段本体２１０、メモリ部３００及び選択操作部が、出力ポートには、ディスプレイ５００及び振動手段６００が接続されている。
【００２６】
この制御部４００は、指紋認証割込プログラムを処理することにより指紋検出手段２００の出力信号に応じて指紋認証を行う機能を発揮する。同様に、カーソル操作プログラムを処理することによりカーソル操作部１００の操作信号α１、α２、α３、α４に応じて上下左右方向の指示信号β１、β２、β３、β４又は左右下上方向の指示信号γ１、γ２、γ３、γ４をディスプレイ５００に各々出力し、当該ディスプレイ５００に表示されたカーソルを上下左右方向又は左右下上方向に移動させる機能を発揮する。これらのプログラムを処理する過程で制御部４００はモード切替信号を出力し、これにより第１、第２、第３、第４操作部、検出手段本体２１０及び振動手段６００を制御するようになっている。
【００２７】
以下、携帯情報端末装置の使用方法を説明すると共に、制御部４００により処理される各プログラムの内容について詳しく説明する。
【００２８】
まず、携帯情報端末装置の電源がオンにされる又は所定時間カーソル操作部１００の操作信号α１、α２、α３、α４の入力がないと、操作入力ロック割込プログラムが処理され、当該携帯情報端末装置の操作がロック状態になる。その一方で図６に示す指紋認証割込プログラムが処理される。そして、第３、第４操作部１３０、１４０及び検出手段本体２１０から電気信号が入力されたか否かを判定する( ｓ１) 。即ち、ユーザの指が電極１３２、１４２、２１２( 図３参照) に触れたか否かを判定する。この判定の結果、第３、第４操作部１３０、１４０及び検出手段本体２１０から電気信号が入力されたと判定すると、第３、第４操作部１３０、１４０のセンサ素子１３１、１４１と検出手段本体２１０のセンサ素子２１１とがオンにされる( ｓ２）。これにより第３、第４操作部１３０、１４０及び検出手段本体２１０が一つの指紋認証センサとして機能する。その後、第３、第４操作部１３０、１４０及び検出手段本体２１０がセンサ面上を移動するユーザの指の指紋を順次検出し、そのセンシングデータを出力信号として制御部４００に出力する( ｓ３) 。
【００２９】
制御部４００は当該出力信号に基づき電界の強弱を濃淡に変換して指紋の画像データを順次作成してメモリ部３００に記録し、これらの画像データを繋ぎ合わせて指の第１関節までの指紋の画像データを作成する。その後、当該画像データとメモリ部３００上の基準データとを比較し、一致するか否かを判定する( ｓ４) 。具体的には、作成する過程で画像データ中の指紋の複数の特徴部分に基準点を付すようになっており、作成した画像データの基準点と基準データの基準点とが各々一致するか否かを判定する。これと共に、カウンタを動作させ指紋認証の回数をカウントする。
【００３０】
ステップ４の判定の結果、制御部４００が一致しないと判定したときには、所定回数指紋認証が行われたか否かを判定する( ｓ５) 。所定回数指紋認証が行われていないと判定すると、ステップ３の処理に戻る。一方、所定回数指紋認証が行われたと判定すると、携帯情報端末装置の操作をロックした状態を維持する( ｓ６) 。そして、指紋認証割込プログラムの処理を終了する。
【００３１】
ステップ４の判定の結果、制御部４００が一致すると判定したときには、操作入力ロック割込プログラムの処理を終了し、携帯情報端末装置の操作のロックを解除する( ｓ７) 。
【００３２】
その後、図６に示すカーソル操作プログラムが処理される( ｓ８) 。そして、指紋認証割込プログラムの処理を終了する。
【００３３】
まず、制御部４００はカーソル操作プログラムが処理されると、第１、第２操作部１１０、１２０及び検出手段本体２１０にモード切替信号を出力する( ｓ１１) 。すると、検出手段本体２１０のセンサ素子２１１がオフとなる一方、第１、第２操作部１１０、１２０のセンサ素子１１１、１１２がオンとなる。即ち、第１、第２、第３、第４操作部１１０、１２０、１３０、１４０のセンサ素子１１１、１１２、１１３、１１４がオン状態になる。なお、この状態では、制御部４００は第１、第２、第３、第４操作部１１０、１２０、１３０、１４０の操作信号α１、α２、α３、α４に応じて上下左右方向の指示信号β１、β２、β３、β４を出力し、ディスプレイ５００上のカーソルを上下左右方向に移動させるようになっている。
【００３４】
その後、ユーザにより第１、第２、第３、第４操作部１１０、１２０、１３０、１４０が操作され、ディスプレイ５００上のカーソルを当該ディスプレイ５００上のアイコンに重ねて選択操作釦が操作されると、当該アイコンに係るアプリケーションプログラムが処理される( ｓ１２) 。そして、制御部４００により当該アプリケーションプログラムのヘッダ情報に含まれる表示方向データがリードされ、当該アプリケーションプログラムに含まれるデータをディスプレイ５００に横向表示状態で表示するか否かが判定される( ｓ１３) 。この判定の結果、横向表示状態で表示すると判定したときには、アプリケーションプログラムのデータをディスプレイ５００の横向表示状態で表示させる。そして、第１、第２、第３、第４操作部１１０、１２０、１３０、１４０の操作信号α１、α２、α３、α４に応じて出力される上下左右方向の指示信号β１、β２、β３、β４を左右下上方向の指示信号γ１、γ２、γ３、γ４に変換して出力する( ｓ１４) 一方、操作信号α１、α２、α３、α４に応じて振動手段６００を所定時間駆動させる。通常表示状態で表示すると判定したときには、アプリケーションプログラムのデータをディスプレイ５００の通常表示状態で表示させる。そして、第１、第２、第３、第４操作部１１０、１２０、１３０、１４０の操作信号α１、α２、α３、α４に応じて上下左右方向の指示信号β１、β２、β３、β４を出力する状態を維持する一方、操作信号α１、α２、α３、α４に応じて振動手段６００を所定時間駆動させる。
【００３５】
その後、他のアプリケーションプログラムが処理されたか否かを判定する( ｓ１５) 。その結果、他のアプリケーションプログラムが処理されたと判定したときには、ステップ１３の処理に戻る。一方、他のアプリケーションプログラムが処理されていないと判定したときには、モード切替信号を第１、第２、第３、第４操作部１１０、１２０、１３０、１４０に出力し、当該第１、第２、第３、第４操作部１１０、１２０、１３０、１４０のセンサ素子１１１、１２１、１３１、１４１の一部を図４( ｂ) のようにオフ状態とする( ｓ１６) 。その後、第１、第２、第３、第４操作部１１０、１２０、１３０、１４０のいずれかの電気信号が入力されたか否かを判定する( ｓ１７) 。即ち、ユーザの指が電極１１２、１２２、１３２、１４２に触れたか否かを判定する。この判定の結果、第１、第２、第３、第４操作部１１０、１２０、１３０、１４０のいずれかの電気信号が入力れていないと判定したときには、ステップ１７の処理を繰り返す。一方、第１、第２、第３、第４操作部１１０、１２０、１３０、１４０のいずれかの電気信号が入力されたと判定したときには、第１、第２、第３、第４操作部１１０、１２０、１３０、１４０の全てのセンサ素子１１１、１２１、１３１、１４１をオン状態とする( ｓ１８) 。そして、ステップ１５の処理に戻る。
【００３６】
このような携帯情報端末装置による場合、ディスプレイ５００にアプリケーションプログラムのデータが横向表示状態で表示されている場合であっても、カーソル操作部１００を通常表示状態と同様の操作感で操作することができる。このため、従来例と比べて使い勝手が良く、非常に操作性が良い携帯情報端末装置とすることができる。しかも、カーソル操作部１００の第３、第４操作部１３０、１４０を指紋認証センサとし、指紋検出手段２００の検出手段本体２１０の長さ方向の両端部に連続するように配設したことから、検出手段本体２１０の長さ寸法を従来のライン型指紋認証センサよりも短くすることができる。よって、カーソル操作部１００と指紋認証センサとの双方を備えるに当たり、その実装スペースを小さくすることができる。よって、装置の小型化を図る上で非常にメリットがある。更に、カーソル操作部１００にセンサを用いているので、当該カーソル操作部１００と指紋検出手段２００とが略面一になる。よって、操作釦のように指紋検出手段２００よりも突出し、当該指紋検出手段２００上にユーザの指を載置するのに邪魔になることがない。この点でも使い勝手が向上する。
【００３７】
この携帯情報端末装置については、少なくともユーザの上下左右方向のカーソル移動操作に応じて上下左右方向の出力信号を各々出力するカーソル操作部と、複数種類のプログラムが記録されたメモリ部と、前記カーソル操作部の上下左右方向の出力信号に応じて上下左右方向の指示信号をディスプレイに各々出力し、当該ディスプレイに表示されたカーソルを上下左右方向の移動させる一方、ユーザの選択操作により前記メモリ部上のプログラムを処理すると共に、当該プログラムに応じてプログラムに含まれるデータを通常表示状態又はこの通常表示状態から略９０°横向きにした横向表示状態でディスプレイに表示させる機能を有した制御部とを具備した携帯情報端末装置であって、前記制御部は、処理するプログラムに対応したデータの表示状態が横向表示状態である場合には、前記上下左右方向の指示信号を左右下上方向又は右左上下方向の指示信号に変換して各々出力する機能を有する限りどのような設計変更を行ってもかまわない。
【００３８】
カーソル操作部１００については、第１、第２、第３、第４操作部１１０、１２０、１３０、１４０を有するとしたが、十字キーのようなものであっても良い。また、第１、第２、第３、第４操作部１１０、１２０、１３０、１４０は、指紋認証センサである必要はなく、ユーザの指が触れることにより出力信号を各々出力するタッチセンサや、押下操作するスイッチ釦等であっても良い。
【００３９】
指紋検出手段２００については、センサ面上に載置されたユーザの指紋を順次検出し、その検出結果を出力信号として出力する機能を有する限りどのようなものを用いてもかまわない。例えば、静電容量方式等の他の指紋認証センサであっても良い。なお、小型化を図るためライン型( スウィープ型) の指紋認証センサを用いることが望ましいが、エリア型の指紋認証センサを用いることも当然可能である。
【００４０】
検出手段本体２１０については、一つのライン型の指紋認証センサであるとしたが、図７に示すように、長さ方向に並べて配置された第１、第２、第３の検出部を有する構成とすることもできる。この場合、第１、第２、第３検出部２１０ａ、２１０ｂ、２１０ｃは、第１操作部１１０等と同様の指紋認証センサを用い、制御部４００のモード切替信号に応じてカーソル操作モードと指紋認証モードとに各々切り替わるようになっている。具体的には、指紋認証モード時には第１、第２、第３検出部２１０ａ、２１０ｂ、２１０ｃはオン状態となる一方、カーソル操作モード時には第１、第３検出部２１０ａ、２１０ｃはオフ状態となり、第２検出部２１０ｂはオン状態となる。このとき、制御部４００は第２検出部２１０ｂの出力信号が入力されると、ユーザにより選択操作がなされたと認識する機能が付加されている。このように設計変更した場合、選択操作釦を省略することができるので、装置の小型化、低コスト化を図る上で非常にメリットがある。
【００４１】
制御部４００は、アプリケーションプログラムのヘッダ情報に含まれる表示方向データをリードし、データの表示状態を判定するとしたが、表示方向データをアプリケーションプログラムに付随させるようにしても良い。また、左右下上方向の指示信号γ１、γ２、γ３、γ４を右左上下方向の指示信号とすることができることは言うまでもない。
【００４２】
振動手段６００については、設けるか否かは任意である。また、振動手段６００として携帯電話器に設けられた振動モータを使用するとしたが、他の振動手段を内蔵するようにしても良い。勿論、装置全体だけでなく、カーソル操作部１００を振動させるように設計変更することも可能である。
【００４３】
なお、ここでは、携帯電話器として説明したが、ＰＤＡ( Ｐｅｒｓｏｎａｌ  Ｄｉｇｉｔａｌ  Ａｓｓｉｓｔａｎｔｓ) 、ノートパソコン、デジタルカメラ等の携帯情報端末装置に適応可能であることは言うまでもない。
【図面の簡単な説明】
【００４４】
【図１】本発明の実施の形態に係る携帯情報端末装置のブロック図である。
【図２】同装置を示す図であって、( ａ) が通常使用状態の概略的正面図、( ｂ) が横向使用状態の概略的正面図である。
【図３】同装置のカーソル操作部の第１操作部を示す模式図である。
【図４】同装置の指紋認証センサのセンサ面の拡大図であって、( ａ) が全てのセンサ素子がオン状態の図、( ｂ) が一部のセンサ素子がオン状態の図である。
【図５】同装置の制御部により処理される指紋認証割込プログラムのフローチャートである。
【図６】同装置の制御部により処理されるカーソル操作プログラムのフローチャートである。
【図７】同装置の指紋検出手段の検出手段本体の設計変更例を示す模式図である。
【符号の説明】
【００４５】
１００  カーソル操作部
１１０  第１操作部
１２０  第２操作部
１３０  第３操作部
１４０  第４操作部
２００  指紋検出手段
２１０  検出手段本体
３００  メモリ部
４００  制御部
α１、α２、α３、α４  操作信号
β１、β２、β３、β４  指示信号
γ１、γ２、γ３、γ４  指示信号
【図１】
2006065514.tif 000003
【図２】
2006065514.tif 000004
【図３】
2006065514.tif 000005
【図４】
2006065514.tif 000006
【図５】
2006065514.tif 000007
【図６】
2006065514.tif 000008
【図７】
2006065514.tif 000009